(57)【要約】【課題】ユーザの利便性を損なわずに、ＦＡＸデータの送信中に音声通話を開始することが可能な通信装置を提供すること。【解決手段】分散構成多機能周辺装置１は、ＭＦＰ１０と、外部装置と音声通話を行う子機６０と、子機６０とＭＦＰ１０とを電話回線網１００に中継するＢＯＸ３１を備える。ＣＰＵ３２は、ＭＦＰ１０から受信したＦＡＸデータを、データ送信先へ送信する。ＣＰＵ３２は、ＦＡＸデータの送信の実行期間中に、子機６０から通話先電話番号を受信すると、ＦＡＸデータの送信を途中で停止する。ＣＰＵ３２は、ＦＡＸデータの送信を停止した旨の停止ページ情報をＭＦＰ１０へ送信する。ＣＰＵ３２は、音声通話先との音声通話を開始する。ＣＰＵ３２は、音声通話の終了を契機として、停止されたＦＡＸデータの送信を再開する。ＣＰＵ１１は、停止ページ情報を受信することに応じて、ＦＡＸデータの送信を停止した旨をパネル１８に表示する。【選択図】図８
2011114787.tif 000002
【特許請求の範囲】
【請求項１】
送信データを送信する送信部と各種の情報を表示する表示部を備える多機能通信装置と、
通信回線に接続され、前記多機能通信装置と前記通信回線との間のデータ通信を中継する回線制御装置と、
前記回線制御装置と無線接続され、前記通信回線を介した音声通話を行う子機と
を備える通信装置において、
前記回線制御装置は、
前記多機能通信装置から受信した前記送信データを前記通信回線を介してデータ送信先へ送信するデータ送信手段と、
前記送信データの送信を実行している期間中に、前記子機から音声通話先を特定する通話先情報を受信することに応じて、前記送信データの送信を途中で停止する送信停止手段と、
前記送信データの送信を停止した旨の停止情報を前記多機能通信装置へ送信する停止情報送信手段と、
前記通話先情報によって特定される前記音声通話先との音声通話を開始する音声通話手段と、
前記音声通話の終了を契機として、停止された前記送信データの送信を再開する送信再開手段と
を備え、
前記多機能通信装置は、前記停止情報を受信することに応じて、前記送信データの送信を停止した旨を前記表示部に表示する表示制御手段を備える
ことを特徴とする通信装置。
【請求項２】
前記多機能通信装置は、停止された前記送信データの送信を再開しない旨の命令入力を受け付けることに応じて、再開不実行命令を前記回線制御装置へ送信する再開不実行命令送信手段をさらに備え、
前記回線制御装置の前記送信再開手段は、前記再開不実行命令を受信することに応じて、停止された前記送信データの送信を取りやめる
ことを特徴とする請求項１に記載の通信装置。
【請求項３】
前記回線制御装置は、優先度の高い音声通話先を特定する優先度情報を記憶する優先度情報記憶手段をさらに備え、
前記回線制御装置の前記送信停止手段は、前記通話先情報によって特定される前記音声通話先と前記優先度情報によって特定される前記音声通話先とが一致するか否かを判断し、一致する場合に前記送信データの送信を途中で停止する
ことを特徴とする請求項１または２に記載の通信装置。
【請求項４】
前記回線制御装置の前記データ送信手段は、前記多機能通信装置から受信した前記送信データを第１メモリに記憶し、前記第１メモリから前記送信データを順次読み出してデータ送信先へ送信し、
前記回線制御装置の前記停止情報送信手段は、前記送信データの送信が停止されるまでに前記第１メモリから読み出された前記送信データのバイト数である読み出しバイト数をカウントし、前記停止情報に前記読み出しバイト数を付加した上で前記多機能通信装置へ送信し、
前記多機能通信装置は、
前記送信データを第２メモリに記憶する送信データ記憶手段と、
前記停止情報に付加されている前記読み出しバイト数を用いて、前記第２メモリに記憶されている前記送信データのうち、既に前記回線制御装置から送信されている前記送信データまたは未送信とされている前記送信データを特定する特定手段と
をさらに備え、
前記多機能通信装置の前記表示制御手段は、既に前記回線制御装置から送信されている前記送信データまたは未送信とされている前記送信データを前記表示部に表示する
ことを特徴とする請求項１ないし３の何れか１項に記載の通信装置。
【請求項５】
前記回線制御装置の前記送信再開手段は、前記特定手段によって未送信であると特定された前記送信データを送信する
ことを特徴とする請求項４に記載の通信装置。
【発明の詳細な説明】
【技術分野】
【０００１】
本願は、ユーザの利便性を損なわずに、送信データの送信中に音声通話を開始することが可能な通信装置に関するものである。
【背景技術】
【０００２】
特許文献１に開示されているファクシミリ装置は、緊急事態発生モードに移行すると、現在のファクシミリ装置の動作状態の確認を行なう。動作状態がＦＡＸ送信中であれば、直ちに現在接続中の相手先の電話回線を切り、電話回線の占有状態を解除する。そして、緊急事態発生時通報先の電話番号に自動的に発呼する。
【先行技術文献】
【特許文献】
【０００３】
【特許文献１】特開平９−１０７４１６号公報
【発明の概要】
【発明が解決しようとする課題】
【０００４】
特許文献１のファクシミリ装置では、ＦＡＸ送信が送信途中の状態で停止されてしまう。そして、停止されたＦＡＸ送信を再開するための方法等については開示されていないため、ユーザがＦＡＸ送信再開の指示を行なう必要が生じるなどの不便性が発生する可能性がある。
本明細書では、このような不便性を解消することができる技術を提供する。
【課題を解決するための手段】
【０００５】
本願の通信装置は、送信データを送信する送信部と各種の情報を表示する表示部を備える多機能通信装置と、通信回線に接続され、多機能通信装置と通信回線との間のデータ通信を中継する回線制御装置と、回線制御装置と無線接続され、通信回線を介した音声通話を行う子機とを備える通信装置において、回線制御装置は、多機能通信装置から受信した送信データを通信回線を介してデータ送信先へ送信するデータ送信手段と、送信データの送信を実行している期間中に、子機から音声通話先を特定する通話先情報を受信することに応じて、送信データの送信を途中で停止する送信停止手段と、送信データの送信を停止した旨の停止情報を多機能通信装置へ送信する停止情報送信手段と、通話先情報によって特定される音声通話先との音声通話を開始する音声通話手段と、音声通話の終了を契機として、停止された送信データの送信を再開する送信再開手段とを備え、多機能通信装置は、停止情報を受信することに応じて、送信データの送信を停止した旨を表示部に表示する表示制御手段を備えることを特徴とする。
【発明の効果】
【０００６】
送信データの送信中にユーザが音声通話を開始する場合には、送信データの送信が途中で停止され、音声通話先との音声通話が開始される。よって、通信回線が１つしかなく、送信データの送信と音声通話とが同時に実行できない場合においても、送信データの送信中にユーザが音声通話を開始することが可能となる。そして、音声通話の終了後には、停止されていた送信データの送信が自動で再開される。よってユーザは、停止されていた送信データの送信動作を再開する旨の指示を行なう必要がないため、ユーザの利便性を向上させることができる。また、送信データの送信を停止した旨が多機能通信装置の表示部に表示されるため、ユーザは送信データの送信が停止されたことを知ることができ、ユーザの利便性を向上させることができる。
【図面の簡単な説明】
【０００７】
【図１】分散構成多機能周辺装置１のブロック図である。
【図２】ＭＦＰの動作フロー図（その１）である。
【図３】ＭＦＰの動作フロー図（その２）である。
【図４】ＢＯＸの動作フロー図（その１）である。
【図５】ＢＯＸの動作フロー図（その２）である。
【図６】ＢＯＸの動作フロー図（その３）である。
【図７】子機の動作フロー図である。
【図８】分散構成多機能周辺装置１のシーケンス図（その１）である。
【図９】分散構成多機能周辺装置１のシーケンス図（その２）である。
【図１０】分散構成多機能周辺装置１のシーケンス図（その３）である。
【図１１】パネルの表示例を示す図である。
【発明を実施するための形態】
【０００８】
図１に、本願に係る実施例として例示される分散構成多機能周辺装置１のブロック図を示す。分散構成多機能周辺装置１は、多機能周辺装置（以下「ＭＦＰ」と称す）１０と、回線制御装置（以下「ＢＯＸ」と称す）３１とを備える。ＢＯＸ３１は、電話回線４７を使用した通信の制御を行う通信装置である。ＭＦＰ１０は、プリンタ機能、スキャナ機能、コピー機能、ファクシミリ機能などを備える。また、ＭＦＰ１０とＢＯＸ３１とは、アドホックモードの無線ＬＡＮ接続方式により、直接に無線通信２０２を行うことが可能とされる。
【０００９】
ＭＦＰ１０の構成について説明する。ＭＦＰ１０は、ＣＰＵ１１、ＲＯＭ１２、ＲＡＭ１３、ＥＥＰＲＯＭ１４、無線ＬＡＮ送受信部１５、無線ＬＡＮアンテナ部１６、ボタン入力部１７、パネル１８、プリンタ１９、スキャナ２０、スロット部２１を主に備えている。これらの構成要素は、入出力ポート２２を介して互いに通信可能に接続されている。
【００１０】
ＣＰＵ１１は、ＲＯＭ１２等に記憶されるプログラムや、無線ＬＡＮ送受信部１５を介して送受信される各種信号などに従って、各機能の制御を行う。ＲＯＭ１２は、ＭＦＰ１０で実行される制御プログラムなどを格納した書換不能なメモリであり、各種のプログラムが格納されている。ＲＡＭ１３は、書換可能な揮発性のメモリである。ＥＥＰＲＯＭ１４は、書換可能な不揮発性のメモリである。
【００１１】
無線ＬＡＮ送受信部１５は、無線ＬＡＮアンテナ部１６を介して、アドホックモードの無線通信２０２を行う。そして、無線ＬＡＮ送受信部１５により、各種のデータを構成するデジタル信号が送受信される。ボタン入力部１７は、ＭＦＰ１０の各機能を実行するためのキーである。パネル１８は、ＭＦＰ１０の各種機能情報を表示する。プリンタ１９は、印刷を実行する部位である。スキャナ２０は、読み取りを実行する部位である。スロット部２１は、メモリカードなどの外部記憶装置が接続される部位である。
【００１２】
ＢＯＸ３１の構成について説明する。ＢＯＸ３１は、ＣＰＵ３２、ＲＯＭ３３、ＲＡＭ３４、ＥＥＰＲＯＭ３５、無線ＬＡＮ送受信部３６、無線ＬＡＮアンテナ部３７、操作キー３８、パネル３９、モデム４０、電話回線接続部４１、ＤＣＬ送受信部４５、ＤＣＬアンテナ部４６を主に備えている。
【００１３】
モデム４０は、電話回線接続部４１および電話回線４７を介して、電話回線網１００に接続されている。モデム４０は、ファクシミリ機能によって送信する原稿データを、電話回線４７に伝送可能な信号に変調して電話回線接続部４１を介して送信したり、電話回線４７から電話回線接続部４１を介して入力された信号を受信し、原稿データへ復調するものである。
【００１４】
無線ＬＡＮ送受信部３６は、無線ＬＡＮアンテナ部３７を介して、アドホックモードの無線通信２０２を行う。そして、無線ＬＡＮ送受信部３６により、各種のデータを構成するデジタル信号が送受信される。また、ＤＣＬ送受信部４５は、ＤＣＬアンテナ部４６を介して、子機６０と無線通信２０３を行う。そして、ＤＣＬ送受信部４５により、音声通話信号が送受信される。
【００１５】
ＥＥＰＲＯＭ３５には、ユーザ等によって、緊急時電話番号が予め記憶される。緊急時電話番号は、優先度の高い音声通話先を特定する電話番号であり、例えば１１０番などが挙げられる。また、緊急時電話番号の各々には緊急度ランクが割り当てられる。緊急性の高い電話番号ほど、高い緊急度ランクが割り当てられる。なお、緊急度ランクの割り当ては、ユーザ等によって予め行なわれるとしてもよい。
【００１６】
また、ＲＯＭ３３には、後述するリダイヤルタイマー処理を実行するプログラムなどが格納される。なお、ＢＯＸ３１のその他の構成は、上述したＭＦＰ１０の構成と同様であるため、ここでは詳細な説明は省略する。
【００１７】
子機６０の構成について説明する。子機６０は、ＣＰＵ６２、ＲＯＭ６３、ボタン入力部６８、パネル６９、ＤＣＬ送受信部６５、ＤＣＬアンテナ部６６、入出力ポート６４、を主に備えている。なお、子機６０のその他の構成は、上述したＭＦＰ１０およびＢＯＸ３１の構成と同様であるため、ここでは詳細な説明は省略する。
【００１８】
分散構成多機能周辺装置１について説明する。分散構成多機能周辺装置１は、ＢＯＸ３１およびＭＦＰ１０を備えることによって、物理的に分離した構成とされる。これにより、電話回線４７のコネクタ部にＭＦＰ１０を直接に接続する必要がないため、ＭＦＰ１０のレイアウト性を高めることができ、ユーザの利便性を高めることができる。
【００１９】
また例えば、分散構成多機能周辺装置１でファクシミリ機能を実行する場合には、ＭＦＰ１０のスキャナ２０で生成されたＦＡＸデータが、ＢＯＸ３１を介して電話回線４７へ送信される。また、ＢＯＸ３１が電話回線４７から受信したデータが、ＭＦＰ１０で受信され、プリンタ１９で印刷される。また、分散構成多機能周辺装置１で電話機能を実行する場合には、子機６０と電話回線網１００との間の音声データの送受信が、ＢＯＸ３１を介して行なわれる。また、分散構成多機能周辺装置１では、電話回線４７は１回線しかない。よって、ＦＡＸデータの送受信と、音声データの送受信とを同時に実行することができない。
【００２０】
本実施形態に係る分散構成多機能周辺装置１の動作の具体例を、図２ないし図７のフローを用いて説明する。図２および図３を用いて、ＭＦＰ１０での操作フローを説明する。Ｓ１１において、ユーザによって、ＦＡＸ送信の原稿がスキャナ２０の原稿台にセットされる。ユーザが、ボタン入力部１７を操作して、ＦＡＸ送信先番号および送信開始命令を入力すると、ＣＰＵ１１は、ＦＡＸ送信先番号およびＦＡＸ送信命令の入力を受け付ける。ここで、ＦＡＸ送信先番号とは、ＦＡＸデータのデータ送信先を特定する電話番号である。
【００２１】
Ｓ１３において、ＣＰＵ１１は、スキャナ２０を動作させて原稿を１ページずつ読み取り、画像データを生成する。またＣＰＵ１１は、画像データを符号化により圧縮して、ＦＡＸデータを生成する。生成されたＦＡＸデータは、ＲＡＭ１３に保存される。なお、原稿が複数枚ある場合には、ＦＡＸデータは、複数のページが集まった構成のデータとなる。Ｓ１５において、ＣＰＵ１１は、ＦＡＸ送信先番号およびＦＡＸデータを、無線通信２０２を用いてＢＯＸ３１へ送信する。
【００２２】
Ｓ１７において、ＣＰＵ１１は、ＢＯＸ３１から停止ページ情報を受信したか否かを判断する。停止ページ情報とは、ＦＡＸデータの送信を停止した旨を報知するための情報である。停止ページ情報の詳細な内容については後述する。
【００２３】
停止ページ情報を受信していないと判断される場合（Ｓ１７：ＮＯ）には、Ｓ１９へ進み、ＣＰＵ１１は、ＢＯＸ３１からＦＡＸ送信完了情報を受信したか否かを判断する。ＦＡＸ送信完了情報とは、ＦＡＸ送信が完了した旨を報知するための情報である。ＦＡＸ送信完了情報を受信していないと判断される場合（Ｓ１９：ＮＯ）にはＳ１７へ戻り待機し、受信したと判断される場合（Ｓ１９：ＹＥＳ）にはＳ２１へ進む。Ｓ２１において、ＣＰＵ１１は、ＲＡＭ１３に保存していたＦＡＸデータを消去する。そしてＭＦＰ１０での操作フローを終了する。
【００２４】
一方、Ｓ１７において、ＢＯＸ３１から停止ページ情報を受信したと判断される場合（Ｓ１７：ＹＥＳ）には、Ｓ２５へ進む。Ｓ２５において、ＣＰＵ１１は、停止ページ情報をＲＡＭ１３に保存する。そしてＣＰＵ１１は、未送信とされているＦＡＸデータを特定する。未送信とされているＦＡＸデータは、例えば、ＦＡＸデータが１ページずつ順番に送信されているときにＸページ目の送信中でＦＡＸ送信が停止された場合には、未送信の部分があるＸページを含み、それ以降の全てのページが、未送信とされているＦＡＸデータに該当する。
【００２５】
未送信とされているＦＡＸデータを特定する方法について説明する。未送信とされているＦＡＸデータの特定は、停止ページ情報に付加されている読み出しバイト数を用いて行なわれる。読み出しバイト数は、ＦＡＸデータの送信が停止されるまでに、ＲＡＭ３４から読み出されたＦＡＸデータのバイト数である。以下、具体的に特定動作を説明する。ＢＯＸ３１のＲＡＭ３４から読み出されて送信されたＦＡＸデータのバイト数が、読み出しバイト数としてＢＯＸ３１からＭＦＰ１０へ報知される。また、ＭＦＰ１０のＲＡＭ１３と、ＢＯＸ３１のＲＡＭ３４には、同一のＦＡＸデータが記憶されている。よってＭＦＰ１０では、ＭＦＰ１０のＲＡＭ１３に記憶されているＦＡＸデータと読み出しバイト数とを用いることで、未送信とされているＦＡＸデータを特定することが可能となる。
【００２６】
これにより、ＢＯＸ３１からＭＦＰ１０へ読み出しバイト数を送信するだけで、未送信とされているＦＡＸデータを報知することが可能となる。よって、未送信とされているＦＡＸデータを、ＢＯＸ３１からＭＦＰ１０へ報知する際に必要なデータ送信量を少なくすることができる。
【００２７】
また、ＢＯＸ３１は、ＲＡＭ３４から読み出したＦＡＸデータに他のデータを付加した上で送信する場合がある。すなわち、ＲＡＭ３４から読み出されたＦＡＸデータのデータ量と、実際にＢＯＸ３１から送信されたデータ量とが異なる場合がある。よって、ＢＯＸ３１から送信されたデータ量をカウントするのではなく、ＲＡＭ３４から読み出されたデータ量を直接カウントすることで、未送信とされているＦＡＸデータをより正確に特定することが可能となる。
【００２８】
Ｓ２７（図３）において、ＣＰＵ１１は、図１１の（Ａ）に示すように、ＦＡＸ送信がＸページ目で停止された旨をパネル１８に表示する。また、送信内容を確認するか否かをパネル１８に表示し、ユーザによる指示の入力を受け付ける。
【００２９】
ユーザが、ＭＦＰ１０のボタン入力部１７を操作して、「はい」または「いいえ」を入力すると、Ｓ２９においてＣＰＵ１１は、入力された指示内容を判断する。指示内容が「いいえ」であると判断された場合（Ｓ２９：ＮＯ）にはＳ３７へ進み、「はい」であると判断された場合（Ｓ２９：ＹＥＳ）にはＳ３１へ進む。
【００３０】
Ｓ３１において、ＣＰＵ１１は、実際にＦＡＸ送信が停止されたページの内容をパネル１８に表示する。Ｘページ目の送信中にＦＡＸ送信が停止された場合に、送信済みのＦＡＸデータと未送信のＦＡＸデータとの境界部分をパネル１８に表示する場合の表示例を、図１１の（Ｂ）に示す。境界線ＢＬの上側に送信済みの画像が表示され、境界線ＢＬの下側に未送信（白紙）の画像が表示される。
【００３１】
また、ＣＰＵ１１は、送信停止の入力画面に進むか、１つ前の画面に戻るか、ユーザによる指示の入力を受け付ける。ユーザが、「ＯＫ」または「戻る」を入力すると、Ｓ３３においてＣＰＵ１１は、入力された指示内容を判断する。指示内容が「戻る」であると判断された場合にはＳ３１へ戻り、「ＯＫ」であると判断された場合にはＳ３５へ進む。
【００３２】
Ｓ３５において、ＣＰＵ１１は、図１１の（Ｃ）に示すように、ＦＡＸデータの再送信をとりやめるか否かの選択肢をパネル１８に表示し、ユーザによる指示の入力を受け付ける。ユーザが、「はい」または「いいえ」を入力すると、Ｓ３７においてＣＰＵ１１は、入力された指示内容を判断する。指示内容が「はい」であると判断された場合（Ｓ３７：ＹＥＳ）には、Ｓ３９へ進む。
【００３３】
Ｓ３９において、ＣＰＵ１１は、再開不実行命令をＢＯＸ３１に送信する。再開不実行命令とは、停止中とされているＦＡＸデータの送信動作を再開しない旨の命令である。Ｓ４１において、ＣＰＵ１１は、ＲＡＭ１３に保存していたＦＡＸデータを消去する。そしてＭＦＰ１０での操作フローを終了する。
【００３４】
一方、Ｓ３７において、指示内容が「いいえ」であると判断された場合（Ｓ３７：ＮＯ）には、Ｓ４３へ進む。Ｓ４３において、ＣＰＵ１１は、ＦＡＸ送信完了情報をＢＯＸ３１から受信したか否かを判断する。受信したと判断される場合（Ｓ４３：ＹＥＳ）には、ＦＡＸ送信が完了したと判断され、Ｓ４５へ進む。Ｓ４５において、ＣＰＵ１１は、ＲＡＭ１３に保存していたＦＡＸデータを消去する。そしてＭＦＰ１０での操作フローを終了する。一方、受信していないと判断される場合（Ｓ４３：ＮＯ）には、ＦＡＸ送信が未完了であると判断され、Ｓ１７（図２）へ戻り待機状態とされる。
【００３５】
図４ないし図６を用いて、ＢＯＸ３１での動作フローを説明する。Ｓ１１１（図４）において、ＣＰＵ３２は、ＭＦＰ１０からのデータ送信を待機する。データを受信していないと判断される場合（Ｓ１１１：ＮＯ）にはＳ１１１へ戻り待機し、データを受信したと判断される場合（Ｓ１１１：ＹＥＳ）にはＳ１１３へ進む。Ｓ１１３において、ＣＰＵ３２は、ＦＡＸ送信先番号およびＦＡＸデータをＭＦＰ１０から受信し、ＲＡＭ３４に記憶する。
【００３６】
Ｓ１１４において、ＣＰＵ３２は、回線使用中情報を子機６０へ送信する。回線使用中情報とは、電話回線４７が使用中であることを報知するための情報である。
【００３７】
Ｓ１１５において、ＣＰＵ３２は、電話回線接続部４１によって電話回線４７を閉結する。そしてＲＡＭ３４からＦＡＸデータを順次読み出して、データ送信先へ送信する。これにより、ＦＡＸデータが１ページずつ順番に送信される。Ｓ１１７において、ＣＰＵ３２は、「送信中  Ｘページ」（Ｘは現在送信中ページ番号）をパネル３９に表示する。
【００３８】
Ｓ１１９において、ＣＰＵ３２は、子機６０から通話先電話番号を受信したか否かを判断する。通話先電話番号とは、子機６０を用いた音声通話の通話先を特定するための電話番号である。受信していないと判断される場合（Ｓ１１９：ＮＯ）にはＳ１２１へ進む。Ｓ１２１において、ＣＰＵ３２は、ＦＡＸデータの送信が完了したか否かを判断する。完了していないと判断される場合（Ｓ１２１：ＮＯ）にはＳ１１９へ戻り待機し、完了したと判断される場合（Ｓ１２１：ＹＥＳ）にはＳ１３３へ進む。
【００３９】
一方、Ｓ１１９において、子機６０から通話先電話番号を受信したと判断される場合（Ｓ１１９：ＹＥＳ）には、Ｓ１２３へ進む。Ｓ１２３において、ＣＰＵ３２は、通話先電話番号をＲＡＭ３４に保存する。
【００４０】
Ｓ１２５において、ＣＰＵ３２は、擬似ダイヤルトーンを子機６０へ送出する。これにより、ユーザが子機６０をオフフックすると、子機６０のスピーカから擬似ダイヤルトーンが聞こえるため、ユーザは通話可能な状態であることを知ることができる。
【００４１】
Ｓ１２７（図５）において、ＣＰＵ３２は、子機６０から受信した通話先電話番号と、ＥＥＰＲＯＭ３５に登録済の緊急時電話番号とが一致するか否かを判断する。両電話番号が一致しないと判断される場合（Ｓ１２７：ＮＯ）には、Ｓ１２９へ進む。Ｓ１２９において、ＣＰＵ３２は、通話拒否情報を子機６０に送出する。通話拒否情報とは、ＦＡＸ送信を優先するため、音声通話ができない旨を報知するための情報である。Ｓ１３１において、ＣＰＵ３２は、ＦＡＸデータの送信が完了したか否かを判断する。完了していないと判断される場合（Ｓ１３１：ＮＯ）にはＳ１１９へ戻り待機し、完了したと判断される場合（Ｓ１３１：ＹＥＳ）にはＳ１３３へ進む。
【００４２】
Ｓ１３３において、ＣＰＵ３２は、ＦＡＸデータの送信動作を終了すると共に、電話回線４７を閉結状態に維持する。Ｓ１３４において、ＣＰＵ３２は、ＦＡＸ送信完了情報をＭＦＰ１０に送信する。Ｓ１３５において、ＣＰＵ３２は、ＲＡＭ３４に保存していたＦＡＸデータを消去する。Ｓ１３７において、ＣＰＵ３２は、通話先電話番号がＦＡＸ送信先番号と一致するか否かを判断する。一致しないと判断される場合（Ｓ１３７：ＮＯ）にはＳ１３８へ進み、ＣＰＵ３２は電話回線接続部４１によって電話回線４７を開放し、ＢＯＸ３１での動作フローを終了する。一方、一致すると判断される場合（Ｓ１３７：ＹＥＳ）にはＳ１３９に進み、ＣＰＵ３２は子機６０を呼び出す。電話回線４７が閉結状態に維持されているため、ユーザが子機６０をオフフックすると、音声通話が即座に開始される。Ｓ１４１において、ＣＰＵ３２は、終話信号を子機６０から受信したか否かを判断する。終話信号とは、子機６０での音声通話が終了した旨を報知するための情報である。終話信号を受信していないと判断される場合（Ｓ１４１：ＮＯ）にはＳ１４１へ戻り待機し、受信したと判断される場合（Ｓ１４１：ＹＥＳ）にはＳ１４３へ進む。Ｓ１４３において、ＣＰＵ３２は、子機６０での音声通話を終了すると共に、電話回線接続部４１によって電話回線４７を開放する。そしてＢＯＸ３１での動作フローを終了する。
【００４３】
一方、Ｓ１２７において、通話先電話番号と緊急時電話番号とが一致すると判断される場合（Ｓ１２７：ＹＥＳ）には、Ｓ１５１へ進む。Ｓ１５１において、ＣＰＵ３２は、通話先電話番号と一致する緊急時電話番号の緊急ランクが、高ランクであるか否かを判断する。高ランクでない場合（Ｓ１５１：ＮＯ）にはＳ１５３へ進み、ＣＰＵ３２は、現在送信中の１ページの送信が完了したか否かを判断する。送信が完了していないと判断される場合（Ｓ１５３：ＮＯ）にはＳ１５３へ戻り待機し、送信が完了したと判断される場合（Ｓ１５３：ＹＥＳ）にはＳ１５５へ進む。
【００４４】
Ｓ１５５において、ＣＰＵ３２は、ＦＡＸデータの全ページの送信が完了したか否かが判断される。全ページの送信が完了したと判断される場合（Ｓ１５５：ＹＥＳ）には、ＦＡＸ送信を停止する必要がないため、Ｓ１３３へ進む。一方、全ページの送信が完了していないと判断される場合（Ｓ１５５：ＮＯ）には、ＦＡＸ送信を停止する必要があるため、Ｓ１５７へ進む。
【００４５】
これにより、緊急時電話番号の緊急ランクが高ランクの場合には、送信中のページがページ途中の状態であっても、ＦＡＸ送信を即時に停止する。また、緊急ランクが低ランクの場合には、現在送信中のページの送信が完了してから、ＦＡＸ送信を停止する。よって、緊急ランクの高低に応じて、音声通話を優先するかデータ送信を優先するかを決定することができる。よって、ユーザの利便性を高めることができる。
【００４６】
Ｓ１５７において、ＣＰＵ３２は、通話先電話番号がＦＡＸ送信先番号と一致するか否かを判断する。一致しないと判断される場合（Ｓ１５７：ＮＯ）にはＳ１６１に進み、ＣＰＵ３２は、ＦＡＸ送信を途中で停止する。また、電話回線接続部４１によって電話回線４７を開放すると共に、リダイヤルタイマーをセットする。一方、一致すると判断される場合（Ｓ１５７：ＹＥＳ）にはＳ１５９に進み、ＣＰＵ３２は、ＦＡＸ送信を途中で停止する。また、電話回線４７を閉結状態に維持する。
【００４７】
リダイヤルタイマーについて説明する。リダイヤルタイマーは、間隔時間と試行回数をセットすることで、ＦＡＸデータを再送することができる機能である。例えば、間隔時間を５分、試行回数を３回にセットした場合には、送信したＦＡＸデータが送信先で受信されるまで、３回を上限として、再送動作が５分おきに繰り返される。なお、リダイヤルタイマーは一般的な機能であり、ＢＯＸ３１に予め備えられている。よって本願では、リダイヤルタイマーを用いることで、新たな機能を追加する必要がない。
【００４８】
なお、Ｓ１５９およびＳ１６１においてＦＡＸデータの送信を停止する時には、送信画像の最後に、データ送信が中断されたことを示すメッセージを付加してもよい。これにより、ＦＡＸ送信先では、最終ページの下端部にデータ送信が中断された旨が表示されるため、相手先のユーザはＦＡＸ送信が中断されたことを知ることが出来る。
【００４９】
Ｓ１６３において、ＣＰＵ３２は、読み出しバイト数をカウントする。そして、読み出しバイト数を停止ページ情報に付加し、停止ページ情報をＭＦＰ１０に送信する。
【００５０】
Ｓ２３９（図６）において、ＣＰＵ３２は、通話先電話番号のダイヤルを送出し、通話相手先と接続することで、子機通話を開始する。Ｓ２４３において、ＣＰＵ３２は、ＭＦＰ１０から再開不実行命令を受信したか否かを判断する。
【００５１】
再開不実行命令を受信した場合（Ｓ２４３：ＹＥＳ）には、Ｓ２４５へ進み、ＣＰＵ３２は、リダイヤルタイマーをリセットする。よって、ＦＡＸデータの送信の再開が取りやめられる。Ｓ２４６において、ＣＰＵ３２は、ＲＡＭ３４に保存していたＦＡＸデータを消去する。Ｓ２４７において、ＣＰＵ３２は、終話信号を子機６０から受信したか否かを判断する。受信していないと判断される場合（Ｓ２４７：ＮＯ）にはＳ２４７へ戻り待機し、データを受信したと判断される場合（Ｓ２４７：ＹＥＳ）にはＳ２４８へ進む。Ｓ２４８において、ＣＰＵ３２は、子機６０での音声通話を終了すると共に、電話回線接続部４１によって電話回線４７を開放する。そしてＢＯＸ３１での動作フローを終了する。
【００５２】
一方、Ｓ２４３において再開不実行命令を受信していない場合（Ｓ２４３：ＮＯ）には、Ｓ２４４へ進む。Ｓ２４４において、ＣＰＵ３２は、終話信号を子機６０から受信したか否かを判断する。終話信号を受信していない場合（Ｓ２４４：ＮＯ）には、Ｓ２４９へ進む。Ｓ２４９において、ＣＰＵ３２は、リダイヤルタイマーがタイムアップしているか否かを判断する。タイムアップするとは、リダイヤルタイマーをセットした時点から間隔時間が経過することである。タイムアップしていない場合（Ｓ２４９：ＮＯ）にはＳ２４３へ戻り待機し、タイムアップした場合（Ｓ２４９：ＹＥＳ）にはＳ２５１へ進む。Ｓ２５１において、ＣＰＵ３２は、リダイヤルタイマーを再セットした上で、Ｓ２４３へ戻る。
【００５３】
一方、Ｓ２４４において、終話信号を受信した場合（Ｓ２４４：ＹＥＳ）には、Ｓ２５２へ進む。Ｓ２５２において、ＣＰＵ３２は、通話先電話番号がＦＡＸ送信先番号と一致するか否かを判断する。一致しないと判断される場合（Ｓ２５２：ＮＯ）にはＳ２５３に進み、ＣＰＵ３２は、子機６０での音声通話を終了する。また、電話回線接続部４１によって電話回線４７を開放する。そしてＳ２５５に進み、ＣＰＵ３２は、リダイヤルタイマーがタイムアップしているか否かを判断する。タイムアップしていない場合（Ｓ２５５：ＮＯ）にはＳ２５５へ戻り待機し、タイムアップした場合（Ｓ２５５：ＹＥＳ）にはＳ２５７へ進む。
【００５４】
一方、通話先電話番号がＦＡＸ送信先番号と一致すると判断される場合（Ｓ２５２：ＹＥＳ）にはＳ２５４に進み、ＣＰＵ３２は、子機６０での音声通話を終了する。また、電話回線４７を閉結状態に維持する。そしてＳ２５７へ進む。
【００５５】
Ｓ２５７において、ＣＰＵ３２は、途中で停止していたＦＡＸデータの送信を再開する。このとき、未送信であると特定されたＦＡＸデータの送信を再開する。また、通話先電話番号がＦＡＸ送信先番号と一致しない場合には、Ｓ２５３によって電話回線４７が開放されているため、電話回線４７を閉結した上でＦＡＸデータの送信を再開する。また、通話先電話番号がＦＡＸ送信先番号と一致する場合には、Ｓ２５４によって電話回線４７が閉結状態に維持されているため、すぐにＦＡＸデータの送信を再開することができる。
【００５６】
なお、ＦＡＸ送信の再開時には、当該ＦＡＸ送信が送信再開である旨を報知するメッセージを、再送ページの先頭に付加して送信してもよい。これにより、ＦＡＸ送信先では、再送時の最初のページの上端部に、データ送信が再開された旨が表示されるため、相手先のユーザは送信が再開されたことを知ることが出来る。なお、メッセージの例としては、再送日時や、再送を開始するページ番号などを用いてもよい。
【００５７】
ＦＡＸデータの送信が完了すると、Ｓ２５９において、ＣＰＵ３２は電話回線４７を開放する。Ｓ２６０において、ＣＰＵ３２は、ＦＡＸ送信完了情報をＭＦＰ１０に送信する。Ｓ２６１において、ＣＰＵ３２は、ＲＡＭ３４に保存していたＦＡＸデータを消去する。そしてＢＯＸ３１での動作フローを終了する。
【００５８】
図７を用いて、子機６０での動作フローを説明する。Ｓ３１１において、ＣＰＵ６２は、電話回線４７が使用中であるか否かを判断する。当該判断は、回線使用中情報をＢＯＸ３１から受信しているか否かによって行なわれる。回線使用中ではないと判断される場合（Ｓ３１１：ＮＯ）にはＳ３１１へ戻り待機し、回線使用中であると判断される場合（Ｓ３１１：ＹＥＳ）にはＳ３１３へ進む。Ｓ３１３において、ＣＰＵ６２は、回線使用中の表示をパネル６９に表示する。
【００５９】
Ｓ３１５において、ＣＰＵ６２は、ユーザのボタン入力部６８の操作により、通話先電話番号が入力されたか否かを判断する。通話先電話番号が入力されていないと判断される場合（Ｓ３１５：ＮＯ）にはＳ３１１へ戻り待機し、通話先電話番号が入力されたと判断される場合（Ｓ３１５：ＹＥＳ）にはＳ３１７へ進む。
【００６０】
Ｓ３１７において、ユーザによってボタン入力部６８の外線通話開始ボタンが押下され、発呼指示の入力が受け付けられると、ＣＰＵ６２は、通話先電話番号を無線通信２０３を介してＢＯＸ３１へ送信する。Ｓ３１９において、ＣＰＵ６２は、擬似ダイヤルトーンをＢＯＸ３１から受信する。
【００６１】
Ｓ３２１において、ＣＰＵ６２は、通話拒否情報をＢＯＸ３１から受信したか否かを判断する。通話拒否情報を受信した場合（Ｓ３２１：ＹＥＳ）にはＳ３２３へ進み、ＣＰＵ６２は、音声通話を行なわず、音声通話が拒否された旨の表示をパネル６９に表示する。そして子機６０での操作フローが終了される。
【００６２】
一方、通話拒否情報を受信していない場合（Ｓ３２１：ＮＯ）にはＳ３２５へ進む。Ｓ３２５において、ＣＰＵ６２は、呼び出し音を受信する。Ｓ３２７において、ＣＰＵ６２は、音声通話を開始する。Ｓ３２９において、ＣＰＵ６２は、音声通話が終了すると、終話信号をＢＯＸ３１へ送信する。そして子機６０での操作フローが終了される。
【００６３】
第１実施形態に係る分散構成多機能周辺装置１の動作の具体例を、図８ないし図１０のシーケンス図を用いて説明する。なお、図８ないし図１０において、ＢＯＸのフロー中の斜線の太線部は、ＦＡＸ送信での電話回線４７の使用中の期間を表している。また白抜きの太線部は、音声通話での使用中の期間を表している。また実線部は、電話回線４７が使用されていない期間を表している。
【００６４】
図８では、例として、緊急電話によりＦＡＸ通信を途中で停止した場合に、ＦＡＸ送信の再開動作を行なう場合を説明する。また、緊急時電話番号の緊急ランクが高ランクであり、通話先電話番号がＦＡＸ送信先番号と一致しない場合を説明する。
【００６５】
ユーザによって、ＦＡＸ送信の原稿が、ＭＦＰ１０のスキャナ２０の原稿台にセットされる（Ｓ１１）。ユーザが、ＭＦＰ１０のボタン入力部１７を操作して、ＦＡＸ送信先番号および送信開始命令を入力すると、ＦＡＸ送信先番号およびＦＡＸ送信命令の入力がＭＦＰ１０に受け付けられる（Ｓ１１）。そしてＦＡＸデータが生成され、ＲＡＭ１３に保存される（Ｓ１３）。ＦＡＸデータおよびＦＡＸ送信先番号は、無線通信２０２を用いてＭＦＰ１０からＢＯＸ３１へ送信される（Ｓ１５）。
【００６６】
ＢＯＸ３１は、ＦＡＸ送信先番号およびＦＡＸデータをＭＦＰ１０から受信し、ＲＡＭ３４に記憶する（Ｓ１１３）。また、回線使用中情報を子機６０へ送信する（Ｓ１１４）。そして、ＦＡＸ送信を開始する（Ｓ１１５）。
【００６７】
子機６０は、回線使用中情報をＢＯＸ３１から受信する（Ｓ３１１）。
ユーザによって通話先電話番号および発呼指示が入力されると、通話先電話番号をＢＯＸ３１へ送信する（Ｓ３１７）。ＢＯＸ３１は、子機６０から通話先電話番号を受信すると（Ｓ１１９：ＹＥＳ）、擬似ダイヤルトーンを子機６０へ送出する（Ｓ１２５）。子機６０は擬似ダイヤルトーンをＢＯＸ３１から受信する（Ｓ３１９）。
【００６８】
ＢＯＸ３１は、子機６０から受信した通話先電話番号と、ＥＥＰＲＯＭ３５に登録済の緊急時電話番号とが一致すると判断する（Ｓ１２７：ＹＥＳ）。またＢＯＸ３１は、緊急時電話番号の緊急ランクが高ランクであると判断し（Ｓ１５１：ＹＥＳ）、通話先電話番号がＦＡＸ送信先番号と一致しないと判断する（Ｓ１５７：ＮＯ）。よってＢＯＸ３１は、ＦＡＸ送信を途中で停止し、電話回線４７を開放すると共に、リダイヤルタイマーをセットする（Ｓ１６１）。そして、読み出しバイト数が付加された停止ページ情報を、ＭＦＰ１０に送信する（Ｓ１６３）。
【００６９】
ＭＦＰ１０は停止ページ情報を受信すると（Ｓ１７：ＹＥＳ）、ＦＡＸ送信がＸページ目で停止された旨をパネル１８に表示する（Ｓ２７）。ユーザが送信内容を確認する旨の入力をすることに応じて、実際にＦＡＸ送信が停止されたページの内容をパネル１８に表示する（Ｓ３１）。
【００７０】
ＢＯＸ３１は、通話先電話番号のダイヤルを送出し、通話相手先と接続する（Ｓ２３９）。よって子機６０での通話が開始される（Ｓ３２７）。子機６０での通話が終了すると（Ｓ３２９）、ＢＯＸ３１は終話信号を受信する（Ｓ２４４：ＹＥＳ）。また、ＢＯＸ３１はＭＦＰ１０から再開不実行命令を受信しておらず（Ｓ２４３：ＮＯ）、通話先電話番号がＦＡＸ送信先番号と一致しない（Ｓ２５２：ＮＯ）ため、リダイヤルタイマーがタイムアップする（Ｓ２５５：ＹＥＳ）ことに応じて、途中で停止していたＦＡＸデータの送信を再開する（Ｓ２５７）。
【００７１】
ＢＯＸ３１は、ＦＡＸデータの送信が完了すると、電話回線４７を開放し（Ｓ２５９）、ＦＡＸ送信完了情報をＭＦＰ１０に送信する（Ｓ２６０）と共に、ＲＡＭ３４に保存していたＦＡＸデータを消去する（Ｓ２６１）。ＭＦＰ１０は、ＦＡＸ送信完了情報をＢＯＸ３１から受信することに応じて（Ｓ４３：ＹＥＳ）、ＲＡＭ１３に保存していたＦＡＸデータを消去する（Ｓ４５）。
【００７２】
次に、図９を用いて、緊急電話によりＦＡＸ通信を途中で停止した場合に、ＦＡＸ送信の再開動作を行なわない場合の例を説明する。また、緊急時電話番号の緊急ランクが高ランクであり、通話先電話番号がＦＡＸ送信先番号と一致しない場合を説明する。なお、図９のＳ１１からＳ３１までのステップの内容は、図８のＳ１１からＳ３１までのステップの内容と同一であるため、ここでは詳細な説明を省略する。
【００７３】
ＭＦＰ１０は、ユーザが送信停止の入力画面に進む旨の入力をすることに応じて、ＦＡＸデータの再送信を停止するか否かの選択肢をパネル１８に表示する（Ｓ３５）。ユーザがＦＡＸデータの再送信をとりやめる旨の指示を入力すると（Ｓ３７：ＹＥＳ）、再開不実行命令をＢＯＸ３１に送信する（Ｓ３９）。
【００７４】
ＢＯＸ３１がＭＦＰ１０から再開不実行命令を受信すると（Ｓ２４３：ＹＥＳ）、リダイヤルタイマーをリセットすることで、ＦＡＸデータの送信の再開を取りやめる（Ｓ２４５）。そして、ＲＡＭ３４に保存していたＦＡＸデータを消去する（Ｓ２４６）。なお、その後のシーケンスは図８のシーケンスと同様であるため、ここでは詳細な説明は省略する。
【００７５】
次に、図１０を用いて、緊急電話を拒否することでＦＡＸ通信を途中で停止しない場合の例を説明する。また、緊急時電話番号の緊急ランクが高ランクであり、通話先電話番号がＦＡＸ送信先番号と一致しない場合を説明する。なお、図１０のＳ１１からＳ１２５までのステップの内容は、図８のＳ１１からＳ１２５までのステップの内容と同一であるため、ここでは詳細な説明を省略する。
【００７６】
ＢＯＸ３１は、子機６０から受信した通話先電話番号と、ＥＥＰＲＯＭ３５に登録済の緊急時電話番号とが一致しないと判断する（Ｓ１２７：ＮＯ）と、通話拒否情報を子機６０に送出する（Ｓ１２９）。子機６０は、通話拒否情報を受信すると（Ｓ３２１：ＹＥＳ）、音声通話が拒否された旨の表示をパネル６９に表示する（Ｓ３２３）。
【００７７】
ＢＯＸ３１は、ＦＡＸデータの送信が完了すると、電話回線４７を開放し（Ｓ１３３）、ＦＡＸ送信完了情報をＭＦＰ１０に送信する（Ｓ１３４）と共に、ＲＡＭ３４に保存していたＦＡＸデータを消去する（Ｓ１３５）。そして、通話先電話番号がＦＡＸ送信先番号と一致しないと判断されるため（Ｓ１３７：ＮＯ）、動作フローを終了する。
【００７８】
以上説明した、本実施形態の説明例に係る分散構成多機能周辺装置１の効果を説明する。ＦＡＸデータの送信中にユーザが子機６０を用いて音声通話を開始する場合には、ＦＡＸデータの送信が途中で停止され、音声通話が開始される。よって、電話回線４７が１つしかなく、ＦＡＸデータの送信と音声通話とが同時に実行できない場合においても、ＦＡＸデータの送信中にユーザが音声通話を開始することが可能となる。そして、音声通話の終了後には、停止されていたＦＡＸデータの送信が自動で再開される。よってユーザは、停止されていたＦＡＸデータの送信動作を再開する旨の指示を行なう必要がないため、ユーザの利便性を向上させることができる。また、ＦＡＸデータの送信を停止した旨がＭＦＰ１０のパネル１８に表示されるため、ユーザはＦＡＸデータの送信が停止されたことを知ることができ、ユーザの利便性を向上させることができる。
【００７９】
また、本願の分散構成多機能周辺装置１では、停止されたＦＡＸデータの送信を再開しない旨の命令（再開不実行命令）が、ＭＦＰ１０のボタン入力部１７を介して入力される。これにより、例えば、送信が途中で停止されたＦＡＸデータの送信を再開する必要がないとユーザが判断した場合には、送信を取りやめることができるため、ユーザの利便性を高めることができる。
【００８０】
また、本願の分散構成多機能周辺装置１では、通話先電話番号と緊急時電話番号が一致するか否かが判断される。これにより、ＦＡＸデータの送信中にユーザが音声通話を開始しようとする場合には、音声通話先の優先度が高い場合のみに、ＦＡＸデータの送信が停止されて音声通話が開始されるように制御を行なうことが可能となる。すなわち、音声通話先の優先度の高低に応じて、音声通話を優先するかＦＡＸデータの送信を優先するかを決定することができる。よって、ユーザの利便性を高めることができる。
【００８１】
また、本願の分散構成多機能周辺装置１では、実際にＦＡＸ送信が停止されたページの内容をパネル１８に表示する。これにより、ユーザは、送信が途中で停止されたＦＡＸデータの送信を再開するか否かを、パネル１８に表示されたＦＡＸデータに基づいて判断することができる。よって、ユーザの利便性を高めることができる。
【００８２】
また、本願の分散構成多機能周辺装置１では、ＦＡＸデータの送信の再開時には、未送信であると特定されたＦＡＸデータの送信が再開される。これにより、ＦＡＸデータのうち、送信が停止されるまでにすでに送信されたページについては、重複して送信されることが防止できる。よって、データ再送時間の短縮化などを図ることが可能となる。
【００８３】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００８４】
本実施例では、リダイヤルタイマーを用いてＦＡＸデータを再送する場合を説明したが、この形態に限られない。例えば、子機通話の終了を検知することに応じて、ＦＡＸデータの送信を再開するとしてもよい。具体的には、図６のＢＯＸ３１の動作フローにおいて、Ｓ２５３で子機通話が終了したことを検知することに応じてＳ２５７に移行し、ＦＡＸデータの送信を再開するとしてもよい。これにより、Ｓ２５５におけるリダイヤルタイマーの制御を不要とすることができる。
【００８５】
また本実施例では、スキャナ２０を動作させて画像データを生成する場合を説明したが、この形態に限られない。画像データが記憶されているメモリカード等の外部記憶装置がスロット部２１に接続され、ＣＰＵ１１が外部記憶装置から画像データを読み出してＦＡＸデータを生成する形態であってもよい。
【００８６】
また本実施例では、ＦＡＸデータを送信する場合を例として説明したが、この形態に限られず、各種のデータを送信する場合においても本願を適用可能である。
【００８７】
なお、ＭＦＰ１０は多機能通信装置の一例、ＢＯＸ３１は回線制御装置の一例、パネル１８は表示部の一例、スキャナ２０は読取部の一例、電話回線４７は通信回線の一例、通話先電話番号は通話先情報の一例、緊急時電話番号は優先度情報の一例、ＲＡＭ３４は第１メモリの一例、ＲＡＭ１３は第２メモリの一例、である。
【００８８】
また、Ｓ１１５を実行する制御部はデータ送信手段の一例である。Ｓ１６１を実行する制御部は送信停止手段の一例である。Ｓ１６３を実行する制御部は停止情報送信手段の一例である。Ｓ２３９を実行する制御部は音声通話手段の一例である。Ｓ２４５、Ｓ２５７を実行する制御部は送信再開手段の一例である。Ｓ２７、Ｓ３１、Ｓ３５を実行する制御部は表示制御手段の一例である。Ｓ３９を実行する制御部は再開不実行命令送信手段の一例である。Ｓ１３を実行する制御部は送信データ記憶手段の一例である。Ｓ２５を実行する制御部は特定手段の一例である。
【符号の説明】
【００８９】
１  分散構成多機能周辺装置
１０  ＭＦＰ
１８  パネル
１１、３２、６２  ＣＰＵ
１３、３４  ＲＡＭ
３１  ＢＯＸ
４７  電話回線
６０  子機
２０２、２０３  無線通信
【図１】
2011114787.tif 000003
【図２】
2011114787.tif 000004
【図３】
2011114787.tif 000005
【図４】
2011114787.tif 000006
【図５】
2011114787.tif 000007
【図６】
2011114787.tif 000008
【図７】
2011114787.tif 000009
【図８】
2011114787.tif 000010
【図９】
2011114787.tif 000011
【図１０】
2011114787.tif 000012
【図１１】
2011114787.tif 000013